(57)【要約】      （修正有）【課題】地盤改良薬液を注入した改良地盤の強度を早期に確認できる改良地盤の強度の推定方法を提供する。【解決手段】地盤改良薬液を注入孔に注入する工程を完了し、地盤改良薬液の土中ゲルタイムｔが経過した後かつ、改良地盤の養生期間ＴＥが経過する所定時間Ｔ前に、注入孔を通じて改良地盤に流体を注入することにより、改良地盤における注入圧力Ｐと注入流量Ｑとの関係を取得する。そして、この取得した注入圧力Ｐと注入流量Ｑとの関係に基づいて改良地盤の透水係数ｋを算出し、この算出した透水係数ｋと、予め把握されている地盤改良薬液により形成された改良地盤の養生期間ＴＥ経過後の一軸圧縮強さｑｕと透水係数ｋとの関係データとに基づいて、改良地盤の養生後の一軸圧縮強さｑｕを推定する。【選択図】図１
2019015126.tif 000002
【特許請求の範囲】
【請求項１】
地盤に形成された注入孔を通じて、地盤改良薬液を注入することにより形成される改良地盤の強度の推定方法であって、
前記地盤改良薬液を前記注入孔に注入する工程を完了し、前記地盤改良薬液の土中ゲルタイムが経過した後かつ、前記改良地盤の養生期間が経過する所定時間前に、前記注入孔を通じて前記改良地盤に流体を注入し、その際の前記流体の注入圧力と注入流量との関係を取得し、この取得した注入圧力と注入流量との関係に基づいて前記改良地盤の透水係数を算出し、この算出した透水係数と、予め把握されている前記地盤改良薬液により形成された改良地盤の養生期間経過後の一軸圧縮強さと透水係数との関係データとに基づいて、前記改良地盤の養生後の一軸圧縮強さを推定することを特徴とする改良地盤の強度の推定方法。
【請求項２】
前記流体として、水を使用する請求項１に記載の改良地盤の強度の推定方法。
【請求項３】
前記流体として、前記地盤改良薬液を使用する請求項１に記載の改良地盤の強度の推定方法。
【請求項４】
前記透水係数を算出する際に、前記注入圧力を有効注入圧力水頭に換算し、前記注入流量に対する前記有効注入圧力水頭の傾きＡを求め、この求めた傾きＡを下記（１）式に導入することにより、前記透水係数ｋを算出する請求項１〜３のいずれかに記載の改良地盤の強度の推定方法。
透水係数ｋ＝｛１／（２πＬＡ）｝ｌｎ（２Ｌ／Ｄ）・・・（１）
ここで、Ｌは前記注入孔において注入した前記流体を保持する部分の長さ、Ｄは前記注入孔の直径である。
【発明の詳細な説明】
【技術分野】
【０００１】
本発明は、改良地盤の強度の推定方法に関し、さらに詳しくは、地盤改良薬液を注入した改良地盤の強度を早期に確認できる改良地盤の強度の推定方法に関するものである。
【背景技術】
【０００２】
液状化対策等を目的とした地盤改良方法として、地盤中に溶液系薬液やセメント系懸濁型薬液等の地盤改良薬液を注入する薬液注入工法が行われている。この工法による改良地盤の強度を早期に確認できれば、注入条件の改善やその他の観点から有益である。従来、地盤の一軸圧縮強さを確認する方法が幾つか知られている（例えば特許文献１参照）。特許文献１では、先端にスクリューポイントを有する貫入ロッドを地中に回転貫入し、段階的に貫入ロッドに負荷する荷重を変化させながら、貫入ロッドの回転トルクを測定する貫入試験方法が提案されている。しかし、この試験方法は、試験を行った時点における一軸圧縮強さを把握するものである。したがって、早期に改良地盤強度の確認を行なおうとしても、改良地盤が十分に強度を発現するまで養生させる必要がある。
【０００３】
或いは、改良地盤に対してコアボーリングを行い、採取したサンプルを用いて一軸圧縮試験を行う方法においても、試験が行えるのは改良地盤を十分に養生して強度発現した後であるので、改良地盤の強度を早期に確認するには不利になる。さらに、ボーリングにより現地土砂を採取した後に室内で試験を行う必要があるため、改良地盤強度の確認するのに長時間を要する。この方法では、サンプリングを行う際にサンプルが乱れてしてしまい、正確な強度を測定することが困難であるという問題もある。このように、従来方法では、十分に強度を発現した時点での強度を事前に把握できないため、改良地盤の強度を早期に確認するには限界があった。
【先行技術文献】
【特許文献】
【０００４】
【特許文献１】特開２０１４−１３４０６７号公報
【発明の概要】
【発明が解決しようとする課題】
【０００５】
本発明の目的は、地盤改良薬液を注入した改良地盤の強度を早期に確認できる改良地盤の強度の推定方法を提供することにある。
【課題を解決するための手段】
【０００６】
上記目的を達成するため本発明の改良地盤の強度の推定方法は、地盤に形成された注入孔を通じて、地盤改良薬液を注入することにより形成される改良地盤の強度の推定方法であって、前記地盤改良薬液を前記注入孔に注入する工程を完了し、前記地盤改良薬液の土中ゲルタイムが経過した後かつ、前記改良地盤の養生期間が経過する所定時間前に、前記注入孔を通じて前記改良地盤に流体を注入し、その際の前記流体の注入圧力と注入流量との関係を取得し、この取得した注入圧力と注入流量との関係に基づいて前記改良地盤の透水係数を算出し、この算出した透水係数と、予め把握されている前記地盤改良薬液により形成された改良地盤の養生期間経過後の一軸圧縮強さと透水係数との関係データとに基づいて、前記改良地盤の養生後の一軸圧縮強さを推定することを特徴とする。
【発明の効果】
【０００７】
本発明によれば、地盤改良薬液を注入した注入孔を利用して流体を注入し、その注入圧力と注入流量との関係を取得することで迅速かつ容易に透水係数を算出できる。さらに、この流体の注入は改良地盤が強度発現する前の養生期間中に行うことができるので、算出した透水係数と予め把握されているデータとに基づいて早期に改良地盤の強度を把握することができる。
【０００８】
ここで、例えば、前記流体として水を使用する。水を使用する場合には、改良地盤に与える影響が少ないので、この水を注入する前の改良地盤強度を実質的に変化させることなく改良地盤の強度を推定することができる。
【０００９】
或いは、前記流体として地盤改良薬液を使用することもできる。地盤改良薬液を使用する場合には、当初の改良地盤にはさらに地盤改良薬液が注入されることになるので、改良地盤の強度をより向上させることができる。また、地盤改良薬液が余っている場合は地盤改良薬液の有効利用になる。
【００１０】
前記透水係数を算出する際に、具体的に例えば、前記注入圧力を有効注入圧力水頭に換算し、前記注入流量に対する前記有効注入圧力水頭の傾きＡを求め、この求めた傾きＡを下記（１）式に導入することにより、前記透水係数ｋを算出することもできる。
透水係数ｋ＝｛１／（２πＬＡ）｝ｌｎ（２Ｌ／Ｄ）  ・・・（１）
ここで、Ｌは前記注入孔において注入した前記流体を保持する部分の長さ、Ｄは前記注入孔の直径である。
【図面の簡単な説明】
【００１１】
【図１】本発明の改良地盤の強度の推定方法の一例を示すフロー図である。
【図２】現地注入試験工程を縦断面視で例示する説明図である。
【図３】注入流量と有効注入圧力水頭の関係を例示するグラフ図である。
【図４】養生期間経過後の一軸圧縮強さと透水係数との関係データを例示するグラフ図である。
【図５】養生期間と一軸圧縮強さの関係を例示するグラフ図である。
【図６】養生期間と透水係数の関係を例示するグラフ図である。
【図７】地盤に薬液を注入する状況を縦断面視で例示する説明図である。
【発明を実施するための形態】
【００１２】
以下、本発明の改良地盤の強度の推定方法を図に示した実施形態に基づいて説明する。
【００１３】
本発明は、図７で示すように地盤に形成された注入孔Ｈを通じて、地盤改良薬液Ｇ（以下、薬液Ｇという）を注入することにより形成される改良地盤の強度を推定する方法である。この実施形態では、削孔機から延ばしたケーシングロッドによって地盤に孔径Ｄ（ｍ）の注入孔Ｈを形成し、薬液注入装置１０によって薬液Ｇを地盤に注入している。
【００１４】
図５で例示するように、薬液Ｇを注入することにより形成される改良地盤は、薬液Ｇの注入後一定期間(例えば、１４日程度)まで強度（一軸圧縮強さｑｕ）が増加し、その後はほぼ一定値となる。したがって、養生期間ＴＥ経過後の改良地盤の一軸圧縮強さｑｕをその改良地盤を測定して直接的に把握するには、少なくとも改良地盤が強度発現した後（１４日以降）に測定を行う必要がある。
【００１５】
一方、図６で例示するように、改良地盤の透水係数ｋは土中ゲルタイムｔ経過以降に一定値となる。即ち、土中ゲルタイムｔ以降であれば、強度発現する前の養生期間中であっても養生期間ＴＥ経過後の改良地盤の透水係数ｋを取得することができる。そこで、本発明は、透水係数ｋと、透水係数ｋと養生期間ＴＥ経過後の改良地盤の一軸圧縮強さｑｕとの関係とを利用することにより、強度発現する前の養生期間中であっても改良地盤の強度を把握可能にしている。
【００１６】
本発明は、図１のフロー図で示すように、大きく分けて３つの工程（現地注入試験工程、透水係数算定工程、一軸圧縮強さ推定工程）で構成されている。本発明では、現地注入試験工程と透水係数算定工程を行うことで、改良地盤の透水係数ｋを取得し、一軸圧縮強さ推定工程において、透水係数ｋから一軸圧縮強さｑｕを推定する。各工程の詳細は以下に説明する。
【００１７】
現地注入試験工程は、薬液Ｇを注入孔Ｈに注入する工程を完了し、薬液Ｇの土中ゲルタイムｔが経過した後かつ、改良地盤の養生期間ＴＥが経過する所定時間Ｔ前に行う。土中ゲルタイムｔとは、地盤中で薬液Ｇがゲル化（液体が固体化する）するまでに要する時間である。土中ゲルタイムｔは使用する薬液Ｇによって異なるが、例えば、薬液Ｇの注入を完了してから２時間〜１２時間である。
【００１８】
改良地盤の養生期間ＴＥは一般的に薬液Ｇの注入が完了してから２８日間である。上記の所定時間Ｔは、例えば、１４日〜２７日である。即ち、本発明では、薬液Ｇの土中ゲルタイムｔの経過後、薬液Ｇの注入が完了してから２８日以前に現地注入試験工程を行うが、薬液Ｇの注入が完了してから１日〜１４日程度の期間（改良地盤が強度発現する前の養生期間中）に現地注入試験工程を行うことが望ましい。
【００１９】
現地注入試験工程では、図２で示すように、地盤に形成された注入孔Ｈに流体を注入することにより、改良地盤における注入圧力Ｐ（Ｐａ）と注入流量Ｑ（ｍ３／ｓ）との関係を取得する。流体としては例えば、水Ｗや薬液Ｇを使用することができる。この実施形態では現地注入試験装置１を用いて注入孔Ｈに水Ｗを注入することにより現地注入試験を行っている。
【００２０】
現地注入試験装置１は、外表面にパッカ７を有する注入管２と、注入管２に接続される注入装置３と、注入管２に直接または間接的に接続される流量計４および水圧計５と、注入装置３と流量計４と水圧計５とに有線または無線で接続される演算装置６と、パッカ７に配管８を介して接続される加圧装置９とを備えている。パッカ７は、円環状の袋体である。
【００２１】
注入管２は、水密性を有する管体であり、注入孔Ｈの孔径Ｄよりも小さな外径寸法を有する挿入管部２ａと、挿入管部２ａと注入装置３とを接続する供給管部２ｂとで構成されている。挿入管部２ａの上端部には水圧計５が設置されていて、上端部は塞がれている。供給管部２ｂの中途の位置には、流量計４が設置されている。
【００２２】
注入装置３は、注入管２（供給管部２ｂ）に所定の注入圧力Ｐまたは注入流量Ｑで水Ｗを供給することができる。注入装置３としては、ポンプやガスの圧力で水Ｗを送り出す機密水槽を例示できる。注入装置３には、注入圧力Ｐの脈動を少なくするために、アキュムレーターを取り付けるとよい。
【００２３】
流量計４は、注入装置３から注入管２に供給された水Ｗの注入流量Ｑを測定する。水圧計５は、改良地盤に水Ｗを注入した際の注入圧力Ｐを測定する。流量計４と水圧計５の測定データは逐次演算装置６に入力される。
【００２４】
演算装置６は、注入装置３の制御と、流量計４および水圧計５の測定データの記録と、測定データを基にした演算作業を行う。演算装置６としては、パーソナルコンピュータ等を例示できる。加圧装置９から配管８を通してパッカ７の内部にガスｇまたは水を注入することによってパッカ７は膨張する。
【００２５】
現地注入試験装置１を用いて改良地盤における注入圧力Ｐと注入流量Ｑとの関係を取得する手順を以下に説明する。この実施形態では、注入孔Ｈの孔底から上側にＬ（ｍ）の位置までの間を試験区間としている。そして試験区間に注入圧力Ｐを段階的に上昇させながら水Ｗを注入し、各段階における定常時の注入流量Ｑを測定する。この現地注入試験工程は、地盤工学会（ＪＧＳ）のＪＧＳ１３２２（注入による岩盤の透水試験方法）に基づいて行う。
【００２６】
まず、注入管２の挿入管部２ａを注入孔Ｈに挿入するようにして設置する。この際、挿入管部２ａの下端部は孔底に接地させず、膨張させた際のパッカ７の下端部が注入孔Ｈの孔底から上側にＬ（ｍ）の位置に配置されるようにする。次に、加圧装置９からガスｇを供給することによってパッカ７を膨張させ、パッカ７によって挿入管部２ａの外周面と注入孔Ｈの孔壁との間を密に塞ぐ。すなわち、注入孔Ｈの孔底から膨張させたパッカ７の下端部までの空間（試験区間）を密閉した状態にする。
【００２７】
上記の準備を終えた後、演算装置６から注入装置３に一定の注入流量Ｑ１で注入するように指令を入力して注入を開始する。演算装置６の指令を受けて、注入装置３は供給管部２ｂに水Ｗを供給し、挿入管部２ａの下端部開口から一定の注入流量Ｑ１で試験区間内に水Ｗを注入する。即ち、注入孔Ｈにおいて、注入した水Ｗを保持する部分の長さがＬ（ｍ）となる。
【００２８】
一定の注入流量Ｑ１で水Ｗを注入している際の注入圧力Ｐの経時変化は水圧計５によって逐次測定され、その測定データは演算装置６に逐次入力される。演算装置６は、逐次入力される測定データから、一定の注入流量Ｑ１において注入圧力Ｐがほぼ一定になった時（定常時）の数値を読み取り、その数値を注入流量Ｑ１における注入圧力Ｐ１として記録する。
【００２９】
注入流量Ｑ１における注入圧力Ｐ１の記録を終えると、演算装置６は、注入装置３に対象地盤に注入する注入流量Ｑ１をより流量の大きい注入流量Ｑ２に変更するように指令を入力する。この後は、注入流量Ｑ１で行った手順と同様の手順で注入流量Ｑ２における注入圧力Ｐ２を記録する。この注入流量Ｑを変更してからその注入流量Ｑにおける注入圧力Ｐを記録するまでの手順を注入流量Ｑ１、Ｑ２、Ｑ３・・・と注入流量Ｑを段階的に増加させて繰り返し行うことにより、注入圧力Ｐと注入流量Ｑの関係を取得する。
【００３０】
注入圧力Ｐと注入流量Ｑとの測定は、注入流量Ｑが限界注入速度を上回った時点で終了する。具体的には、注入流量Ｑが一定の数値（限界注入速度）を上回ると地盤に割裂が生じ、注入圧力Ｐの数値が低下するので、注入圧力Ｐが前回の測定を下回った時点で演算装置６から注入装置３に注入を終了するように指令を入力する。
【００３１】
この実施形態では、一定の注入流量Ｑで試験区間に水Ｗを注入した際の注入圧力Ｐを測定したが、一定の注入圧力Ｐで試験区間に注入した際の注入流量Ｑを測定することで注入圧力Ｐと注入流量Ｑの関係を取得することもできる。また、注入流量Ｑが限界注入速度に達する前の段階で測定を終えることもできる。
【００３２】
注入装置３の制御と、流量計４および水圧計５の測定と、測定結果の記録とを作業員による人力で行なうこともできるが、この実施形態のように演算装置６を用いてこれら作業を行なうと、作業を精度よく行なえる。しかも軽労化を図ることもできる。
【００３３】
次の透水係数算定工程では、現地注入試験工程で取得した注入圧力Ｐと注入流量Ｑとの関係に基づいて改良地盤の透水係数ｋを算定する。透水係数ｋの算定は、この実施形態では、地盤工学会（ＪＧＳ）のＪＧＳ１３２２（注入による岩盤の透水試験方法）に基づいて行う。注入圧力Ｐと注入流量Ｑの関係に基づいて改良地盤の透水係数ｋを算定する手順を以下に説明する。
【００３４】
まず、注入圧力Ｐ（Ｐａ）を下記（２）式により有効注水圧力水頭Ｓ（ｍ）に換算する。
Ｓ＝Ｐ／ｒ＋ｈ１−ｈ２−ｈ３  ・・・（２）
ここで、ｈ１は水圧計５と試験区間中央の高さの差（ｍ）、ｈ２は平衡水位と試験区間中央の高さの差（ｍ）、ｈ３は注入管２の管内抵抗による損失水頭（ｍ）、ｒは水Ｗの単位体積重量（Ｎ／ｍ３）である。尚、平衡水位は、ＪＧＳ１３１１（ボーリング孔を利用した砂質・礫室地盤の地下水位の測定方法）に基づいて測定することができる。注入管２の管内抵抗による損失水頭ｈ３は、損失水頭試験によって求めることができる。
【００３５】
次に、図３で示すように、有効注水圧力水頭Ｓを縦軸に、注入流量Ｑを横軸にとり、各圧力段階の測定値をプロットしたグラフを作成する。そして、注入流量Ｑの増加量に対する有効注水圧力水頭Ｓの傾きＡを求める。傾きＡを求める際には、注入流量Ｑが限界注入速度Ｑｃｒを上回る前の段階（図３におけるＱ１〜Ｑ５）までの有効注水圧力水頭Ｓと注入流量Ｑとの関係を利用して求める。傾きＡは下記（３）式で表される。
Ａ＝ΔＳ／ΔＱ  ・・・（３）
また、一段階の注入圧力Ｐと注入流量Ｑから透水係数ｋを求める場合には、下記（４）式から傾きＡを求める。
Ａ＝Ｓ／Ｑ  ・・・（４）
尚、この実施形態では、説明の便宜上グラフを作成したが、グラフを作成せずに傾きＡを求めることもできる。
【００３６】
そして、（３）式または（４）式で求めた傾きＡを下記（１）式に代入することにより、透水係数ｋを算出する。  
ｋ＝｛１／（２πＬＡ）｝ｌｎ（２Ｌ／Ｄ）  ・・・（１）
ここで、Ｄは注入孔Ｈの直径（試験区間の孔径）（ｍ）、Ｌは試験区間の長さ（ｍ）である。このように、施工現場における作業によって簡易、迅速に透水係数ｋを算出することができる。
【００３７】
次の一軸圧縮強さ推定工程では、透水係数算定工程で算出した透水係数ｋと、予め把握されている薬液Ｇにより形成された改良地盤の養生期間ＴＥ経過後の一軸圧縮強さｑｕと養生期間ＴＥ経過後のその改良地盤の透水係数ｋとの関係データとに基づいて、養生期間中に改良地盤の養生後の一軸圧縮強さｑｕを推定する。
【００３８】
予め把握されている薬液Ｇにより形成された改良地盤の養生期間ＴＥ経過後の一軸圧縮強さｑｕと透水係数ｋとの関係データとしては、図４に例示する両者の相関関係を用いることができる。図４のグラフ縦軸の一軸圧縮強さｑｕは、薬液Ｇを注入してから２８日の養生期間ＴＥを経過した材令２８日における改良地盤の一軸圧縮強さｑｕを示している。図４のグラフ横軸は、同じく材令２８日における改良地盤の透水係数ｋを対数係数ｌｏｇｋで示している。
【００３９】
薬液Ｇにより形成された改良地盤の養生期間ＴＥ経過後の一軸圧縮強さｑｕと透水係数ｋとの関係データは、薬液Ｇを使用して作成した養生期間ＴＥ経過後の改良地盤サンプルについて透水試験および一軸圧縮試験を行うことで取得することができる。より詳しくは、例えば、透水係数ｋは粒径（例えば、２０％粒径Ｄ２０）から算定し、一軸圧縮強さｑｕは、地盤工学会（ＪＧＳ）のＪＧＳ０５１１（土の一軸圧縮試験）に基づいて求めることができる。一軸圧縮強さｑｕと透水係数ｋとの関係データは、図４で示すように、薬液Ｇの種類ごとに事前にグラフ等に整理しておくとよい。
【００４０】
図４では、薬液Ｇにより形成された改良地盤サンプルＡと薬液Ｇ１により形成された改良地盤サンプルＢとのそれぞれの関係データが示されている。この実施形態では、薬液Ｇを使用しているので、改良地盤サンプルＡの関係データを使用する。
【００４１】
図４に例示するように、対数関数ｌｏｇｋと一軸圧縮強さｑｕとは強い相関関係を有しているので、透水係数算定工程で算出した改良地盤の透水係数ｋと、予め把握されている薬液Ｇにより形成された改良地盤の養生期間ＴＥ経過後の一軸圧縮強さｑｕと透水係数ｋとの関係データとを対応させることによって改良地盤の養生後の一軸圧縮強さｑｕを推定することができる。
【００４２】
この実施形態では、演算装置６に予め、透水係数算定工程から一軸圧縮強さ推定工程までの作業プログラムを構築しておくことで、現地注入試験工程で取得した注入圧力Ｐと注入流量Ｑとの関係データに基づいて、各薬液Ｇを使用した場合の一軸圧縮強さｑｕが自動的に推定されるようになっている。つまり、事前に作業プログラムを構築した演算装置６を用意し、各薬液Ｇを使用した場合の一軸圧縮強さｑｕと透水係数ｋとの関係データを演算装置６に入力しておけば、現地注入試験工程から一軸圧縮強さ推定工程までの作業を自動化することができる。尚、演算装置６を設けることなく、作業員が現地注入試験工程から一軸圧縮強さ推定工程までの作業を行なうことも可能である。
【００４３】
本発明によれば、薬液Ｇを注入した注入孔Ｈを利用して流体を注入し、その注入圧力Ｐと注入流量Ｑとの関係を取得することで迅速かつ容易に改良地盤の透水係数ｋを算出できる。さらに、この流体の注入は改良地盤が強度発現する前の養生期間中に行うことができるので、算出した透水係数ｋと予め把握されているデータとに基づいて早期に改良地盤の強度（一軸圧縮強さｑｕ）を把握することができる。
【００４４】
上述したとおり、改良地盤の強度を早期に確認できるので、例えば、改良地盤の強度が規定値未満である場合には、薬液Ｇを再度注入するなどの対策を早期に講じることができる。また、改良地盤を形成した際の薬液Ｇの注入仕様（注入量や注入速度等）と改良地盤の強度との関係を早期に確認できるので、後の注入作業に向けて薬液Ｇの注入条件を早期に改善できる。
【００４５】
本発明は注入孔Ｈが途中で屈曲して形成されている場合にも採用することができるので、例えば、構造物直下等のサンプリングやサラウンディングが困難な場所においても改良地盤の強度を確認することができる。それ故、従来方法に比して汎用性が高い。
【００４６】
この実施形態では、流体として水Ｗを使用しているので、改良地盤に与える影響が少ない。そのため、水Ｗを注入する前の改良地盤の強度を実質的に変化させることなく改良地盤の強度を推定することができる。
【００４７】
注入孔Ｈに注入する流体として薬液Ｇを使用することもできる。薬液Ｇを使用する場合においても、上記で示した実施形態と同様の手順で行うことができる。
【００４８】
注入孔Ｈに注入する流体として薬液Ｇを使用する場合には、当初の改良地盤にはさらに薬液Ｇが注入されることになるので、改良地盤の強度をより向上させることができる。また、薬液Ｇが余っている場合は薬液Ｇの有効利用になる。
【符号の説明】
【００４９】
１  現地注入試験装置
２  注入管
２ａ  挿入管部
２ｂ  供給管部
３  注入装置
４  流量計
５  水圧計
６  演算装置
７  パッカ
８  配管
９  加圧装置
１０  薬液注入装置
Ｈ  注入孔
Ｗ  水
Ｇ  地盤改良薬液
ｇ  ガス
【図１】
2019015126.tif 000003
【図２】
2019015126.tif 000004
【図３】
2019015126.tif 000005
【図４】
2019015126.tif 000006
【図５】
2019015126.tif 000007
【図６】
2019015126.tif 000008
【図７】
2019015126.tif 000009